(57)【要約】【課題】部品点数を増やすことなく、手摺の着脱を容易に行うことができ、着脱に要する作業時間を短縮することが可能な手摺用ブラケットの取付構造を提供することである。【解決手段】壁面（ブラケット取付面）１８に固定された固定ネジ１７ａ，１７ｂ，１７ｃと、この固定ネジ１７ａ，１７ｂ，１７ｃに着脱自在に係合する係合部１２ａ，１２ｂ，１２ｃを有する取付座１３を備えた手摺用ブラケット１１とからなる手摺り用ブラケットの取付構造である。【選択図】  図２
2004156348.tif 000002
【特許請求の範囲】
【請求項１】
ブラケット取付面に固定された固定ネジと、この固定ネジに着脱自在に係合する係合部を有する取付座を備えた手摺用ブラケットとからなる手摺用ブラケットの取付構造。
【請求項２】
前記固定ネジがブラケット取付面に複数個固定されており、かつ各固定ネジに対応して、前記取付座に複数の係合部が設けられている請求項１記載の手摺用ブラケットの取付構造。
【請求項３】
前記係合部が、取付座の端面に設けたＵ字形切り欠き部である請求項１または２記載の手摺用ブラケットの取付構造。
【請求項４】
前記取付座が略Ｔ字形または略Ｈ形で構成されており、この取付座の端面に複数のＵ字形切り欠き部が、各切り欠き部の開口が同方向に揃うように形成されている請求項３記載の手摺用ブラケットの取付構造。
【請求項５】
前記取付座の端面にある前記Ｕ字形切り欠き部の開口近傍の両側部に固定ネジ抜け止め用の突起が形成されている請求項３または４の記載の手摺用ブラケットの取付構造。
【請求項６】
前記係合部が、前記固定ネジの頭部が挿通するネジ挿通孔とこのネジ挿通孔に連通したネジ係合孔とからなる請求項１または２記載の手摺用ブラケットの取付構造。
【請求項７】
前記取付座には、この取付座を被覆するカバーが取外し自在に取り付けられている請求項１〜６のいずれかに記載の手摺用ブラケットの取付構造。
【請求項８】
前記手摺用ブラケットがエンドブラケットである請求項１または２記載の手摺用ブラケットの取付構造。
【請求項９】
前記エンドブラケットの取付座には、固定ネジの頭部が挿通するネジ挿通孔とこのネジ挿通孔に連通したネジ係合孔とからなる係合部が設けられている請求項８記載の手摺用ブラケットの取付構造。
【請求項１０】
前記係合部は、手摺の軸心と平行で取付座の座面中央部を通る直線に対して略左右対称形となる少なくとも一対の係合部からなる請求項９記載の手摺用ブラケットの取付構造。
【発明の詳細な説明】
【０００１】
【発明の属する技術分野】
本発明は、一般家庭や公共施設などの階段、廊下、玄関等に設置される手摺を固定するための手摺用ブラケットの取付構造に関する。
【０００２】
【従来の技術】
従来から、一般家庭や公共施設などの階段、廊下、玄関などにはしばしば手摺が取り付けられている。この手摺は、通常、手摺用ブラケットを用いて壁面に固定される。この手摺用ブラケットとしては、一般に、壁面に固定するための取付座と、この取付座に立設されたアーム部と、このアーム部の上端に設けられた手摺取付部とを備えたものが使用されている。そして、取付座に設けられたネジ挿通孔に挿通した固定ネジを壁面に螺入させてブラケットを固定している。また、手摺は、ブラケットの手摺取付部にネジなどによって取り付けられる。
【０００３】
しかしながら、壁面に取り付けられた手摺およびブラケットは、例えば壁面のクロスを張り替える際には取り外さなければならない。また、引っ越しなどにおいて大型の荷物を搬入・搬出する際などにも取り外さなければならないことがある。このような場合には、手摺用ブラケットの取付座に挿通された複数本のネジを外して手摺および手摺用ブラケットを取り外し、クロスの張り替え作業、荷物の搬入・搬出作業が終了した後、再度手摺を元の場所に取り付けるために手摺用ブラケットの取付座に複数本のネジを取り付けなければならない。これらの一連の作業には多くの時間と労力が必要であるため、作業時間を短縮し、労力を削減することができる種々の手段が提案されている。
【０００４】
例えば、特許文献１には、壁面に固定されたベースにブラケットがネジにより固定された着脱式手摺が開示されている。この着脱式手摺では、ネジを緩めるだけでブラケットを取り外すことができるとされている。
【０００５】
また、特許文献２には、壁面に位置決め部材が取り付けられており、この位置決め部材に手摺用ブラケットが取り付けられた手摺ブラケットの取付構造が開示されている。
【０００６】
【特許文献１】
特開２００２−２７６１１５号公報
【特許文献２】
特開２００２−８１１８３号公報
【０００７】
【発明が解決しようとする課題】
しかしながら、特許文献１および２に記載されている着脱式手摺および手摺ブラケットの取付構造では、ブラケットの他にベースまたは位置決め部材が必要であるため、部品点数が多くなり、コストが増大するという問題があった。また、着脱時にはネジの取り付け・取り外しを行わなければならないため、作業が煩雑で多くの時間を要するという問題がある。
【０００８】
したがって、本発明の目的は、部品点数を増やすことなく、手摺の着脱を容易に行うことができ、着脱に要する作業時間を短縮することが可能な手摺用ブラケットの取付構造を提供することである。
【０００９】
【課題を解決するための手段】
本発明にかかる手摺用ブラケットの取付構造は、ブラケット取付面に固定された固定ネジと、この固定ネジに着脱自在に係合する係合部を有する取付座を備えた手摺用ブラケットとからなる。
【００１０】
このように、本発明では、ブラケットが、固定ネジに着脱自在に係合する係合部を有する取付座を備えているので、ブラケット取付面に固定ネジが固定された状態で、ブラケットの取り付け・取り外しを行うことができる。これにより、手摺の着脱が容易になり、着脱に要する作業時間を短縮して労力を削減することができる。しかも、特許文献１および２に記載されているようなベースや位置決め部材などを必要としないので、部品点数を少なくすることができ、コストを削減することもできる。
【００１１】
本発明では、前記固定ネジがブラケット取付面に複数個固定されており、かつ各固定ネジに対応して、前記取付座に複数の係合部が設けられているのが好ましい。これにより、複数の固定ネジでブラケット取付面に取付座を固定することができるので、ブラケットの取り付け状態がより安定し、かつ取付強度をより向上させることができる。
【００１２】
本発明の一実施形態によれば、前記係合部は、取付座の端面に設けたＵ字形切り欠き部で形成される。また、このような形態の場合には、前記取付座が略Ｔ字形または略Ｈ形で構成されており、この取付座の端面に複数のＵ字形切り欠き部が、各切り欠き部の開口が同方向に揃うように形成されているのが好ましい。これにより、切り欠き部の開口を通じて、複数の係合部を複数の固定ネジに同時にかつ容易に係合させ、あるいは係合を解除することができるので、手摺りの着脱を容易に行うことができる。さらに、前記取付座の端面にある前記Ｕ字形切り欠き部の開口近傍の両側部に固定ネジ抜け止め用の突起が形成されているのがより好ましい。これにより、固定ネジが、衝撃や振動などによって切り欠き部から離脱するのを防止することができるので、安全性や安定性がより向上する。
【００１３】
本発明の他の実施形態によれば、前記係合部は、前記固定ネジの頭部が挿通するネジ挿通孔とこのネジ挿通孔に連通したネジ係合孔とから構成される。
【００１４】
また、前記取付座には、この取付座を被覆するカバーが取外し自在に取り付けられていてもよい。このようなカバーが取り付けられることによって取付座の係合部や固定ネジを覆い隠すことができるので、美観を向上させることができる。
【００１５】
本発明では、前記手摺用ブラケットがエンドブラケットであってもよい。ここで、エンドブラケットとは、手摺を壁面などに固定するために手摺の両端に取り付けられるものをいう。前記エンドブラケットの取付座には、固定ネジの頭部が挿通するネジ挿通孔とこのネジ挿通孔に連通したネジ係合孔とからなる係合部が設けられているのが好ましい。さらに、前記係合部は、手摺の軸心と平行で取付座の座面中央部を通る直線に対して略左右対称形となる少なくとも一対の係合部からなるのがより好ましい。これにより、同じ形状のエンドブラケットを手摺の両端部に使用することができる。
【００１６】
【発明の実施の形態】
以下、本発明にかかる手摺用ブラケットの取付構造について図面を参照して詳細に説明する。図１（ａ）は、本発明の一実施形態にかかる手摺用ブラケットの取付構造を示す平面図であり、図１（ｂ）はその側面図である。また、図２（ａ）は図１（ａ），（ｂ）に示した手摺用ブラケットを示す正面図であり、図２（ｂ）はその背面図である。
【００１７】
図１（ａ），（ｂ）および図２（ａ），（ｂ）に示すように、この取付構造は、壁面（ブラケット取付面）１８に固定された固定ネジ１７ａ，１７ｂ，１７ｃと、この固定ネジ１７ａ，１７ｂ，１７ｃが着脱自在に係合する係合部１２ａ，１２ｂ，１２ｃを有する取付座１３を備えた手摺用ブラケット１１とからなる。
【００１８】
係合部１２ａ，１２ｂ，１２ｃは、取付座１３の端面に設けたＵ字形切り欠き部である。取付座１３は略Ｔ字形で構成されており、この取付座１３の端面に３つの係合部１２ａ，１２ｂ，１２ｃが、各係合部の開口が同方向に揃うように形成されている。取付座１３の端面にある係合部１２ａ，１２ｂ，１２ｃの開口近傍の両側部には、固定ネジ１７ａ，１７ｂ，１７ｃの抜け止め用の突起である突条１６，１６，１６がそれぞれ形成されている。
【００１９】
さらに、ブラケット１１の取付座１３の中央付近には隆起部１３ａが形成され、隆起部１３ａの一端から取付座１３の端部方向に扇状隆起部１３ｂが延設されている。また、ブラケット１１は、取付座１３の隆起部１３ａに湾曲して立設されたアーム部１４と、このアーム部１４の上端に設けられた手摺取付部１５とを備えている。これらの取付座１３、アーム部１４および手摺取付部１５は鋳造などによって一体に形成されている。また、アーム部１４は、中空部１９（図１（ａ）参照）から中空部２０（図２（ｂ）参照）まで連続して形成された中空を備えた構造である。
【００２０】
隆起部１３ａおよび扇状隆起部１３ｂの周縁には、図４に示すカバー２１のアーム挿通孔２２およびＶ字形状の開口部２３が嵌合する段差１３ｄおよび段差１３ｅが設けられている。また、取付座１３の裏面の周縁には、カバー２１の被係止縁２５が着脱自在に係止可能な係止縁１３ｃが設けられている。
【００２１】
ブラケット１１の材質としては特に限定されないが、強度の面から、例えばアルミニウム、鉄、ステンレス、銅、真鍮などの金属を使用するのが好ましい。
【００２２】
手摺２９は、上記のようなブラケット１１を用いて壁面１８に以下のようにして取り付けられる。すなわち、まず複数のブラケット１１を所定の間隔で手摺２９の所定位置に２つのネジ挿通孔１５ａを利用してネジで取り付ける。次に、壁面１８上にブラケット１１を取り付ける位置の位置決めを行う。ついで、前記取り付け位置にブラケット１１を配置し、３つのネジ１７ａ，１７ｂ，１７ｃを３箇所の係合部１２ａ，１２ｂ，１２ｃにそれぞれ挿通して壁面１８に螺合することによって、ブラケット１１を壁面１８に固定する。
【００２３】
このようにして取り付けられた手摺２９およびブラケット１１を、壁面１８のクロス張り替えなどで取り外す必要があるときは、以下のようにして容易に取り外すことができ、さらに再度の取り付けも簡単である。
【００２４】
図３（ａ），（ｂ）は、ブラケット１１を壁面から取り外し、再度取り付ける際の手順を示す概略図である。図３（ａ）に示す状態で取り付けられた手摺２９およびブラケット１１を取り外す際には、ブラケット１１を壁面１８に沿って上方（図３（ｂ）の矢印Ａの方向）へ持ち上げ、固定ネジの頭部が突条１６を乗り越えて離脱するようにすることによって係合部１２ａ，１２ｂ，１２ｃの開口からネジ１７ａ，１７ｂ，１７ｃを抜き出せばよい。なお、係合部１２ａ，１２ｂ，１２ｃにおいてネジ１７ａ，１７ｂ，１７ｃを強固に締め付けている場合や、固定ネジの頭部が突条１６から離脱しにくい場合には、ネジ１７ａ，１７ｂ，１７ｃを緩めてもよい。
【００２５】
また、ブラケット１１を再度壁面に取り付ける際には、上記とは逆の手順で、係合部１２ａ，１２ｂ，１２ｃの開口からネジ１７ａ，１７ｂ，１７ｃを挿入し（図３（ｂ）の矢印Ｂの方向へブラケット１１を下ろす）、ネジ１７ａ，１７ｂ，１７ｃが係合部１２ａ，１２ｂ，１２ｃの末端（Ｕ字形切り欠き部の上端（円弧部分））に位置するようにブラケット１１を移動させ、必要に応じて、この位置でネジ１７ａ，１７ｂ，１７ｃを締め付ければよい。
【００２６】
図４（ａ）は、ブラケット１１の取付座１３を被覆するカバー２１を示す平面図、図４（ｂ）はその底面図、図４（ｃ）はそのＡ−Ａ断面図である。図４（ａ）〜（ｃ）に示すように、カバー２１は、ブラケット１１のアーム部１４の基端に対応する部分に、アーム部１４の基端が挿通されるアーム挿通孔２２を備え、このアーム挿通孔２２の一端からカバー２１の半径方向に向かって開口幅が次第に広がるＶ字形状の開口部２３が延設され、アーム挿通孔２２とＶ字形状の開口部２３の間に開口幅が狭い括れ部２４が形成されている。
【００２７】
カバー２１の背面側周縁には被係止縁２５が突出するように設けられており、これが取付座１３の係止縁１３ｃに取り外し自在に係止するようになっている。また、アーム挿通孔２２、開口部２３および括れ部２４は、取付座１３の段差１３ｄ、段差１３ｅおよびこれらの間の括れ部分１３ｆに嵌合するようになっている。
【００２８】
このカバー２１を取付座１３の表面に装着するには、開口部２３がアーム１４に接するようにカバー２１を配置し、括れ部２４の開口幅がアーム１４の外径よりも大きくなるまでカバー２１を変形させて押し込むことによりアーム１４をアーム挿通孔２２に挿通させ、ついで被係止縁２５を係止縁１３ｃに係止させればよい。
【００２９】
カバー２１は、例えばポリエチレン、ポリプロピレン、ポリ塩化ビニル、ポリカーボネート、アクリル樹脂、ナイロンなどの樹脂を成形することによって製造することができる。
【００３０】
図５は、本発明の取付構造で使用することができる手摺用ブラケットの取付座の他の例を示す概略図である。図５では、特に係合部の形状および配置を説明する便宜上、アーム部および手摺取付部は省略している。
【００３１】
図５に示す取付座５１は略Ｈ形で構成されており、この取付座５１の端面に４つの係合部（Ｕ字形切り欠き部）５３，５３，・・・が、各係合部の開口が同方向に揃うように形成されている。このような取付座５１を有するブラケットにおいても、前記したブラケット１１の場合と同様にして係合部５３の開口から固定ネジ５４，５４，・・・を挿入または抜き出すことによりブラケットを容易に取り付け・取り外すことができる。なお、ブラケットは、固定ネジ５４，５４，・・・が係合部５３，５３，・・・の末端（Ｕ字形切り欠き部の円弧部分）に位置するように取り付けられる。
【００３２】
図６（ａ）〜（ｃ）は、本発明の取付構造で使用することができる手摺用ブラケットの取付座の他の例を示す概略図である。図６（ａ）〜（ｃ）では、特に係合部の形状および配置を説明する便宜上、アーム部および手摺取付部は省略している。図６（ａ）に示す取付座６１には、４つの係合部６２，６２，・・・が設けられている。この係合部６２，６２，・・・は、固定ネジ６５の頭部が挿通するネジ挿通孔６３，６３，・・・とこのネジ挿通孔６３，６３，・・・に連通したネジ係合孔６４，６４，・・・とからなる。すなわち、ネジ挿通孔６３，６３，・・・は、ここに挿通される固定ネジ６５の頭部の外径よりも大きな内径を有しており、ネジ係合孔６４，６４，・・・は、前記固定ネジ６５の頭部の外径よりも小さく固定ネジ６５の外径よりも大きな内径を有している。
【００３３】
図６（ｂ），（ｃ）に示す取付座７１，８１には、取付座６１と同様に、それぞれ４つの係合部７２，７２，・・・または係合部８２，８２，・・・が設けられている。これらの係合部７２，７２，・・・または係合部８２，８２，・・・は、固定ネジ７５，８５の頭部が挿通するネジ挿通孔７３，７３，・・・またはネジ挿通孔８３，８３，・・・と、これらのネジ挿通孔７３，７３，・・・またはネジ挿通孔８３，８３，・・・に連通したネジ係合孔７４，７４，・・・またはネジ係合孔８４，８４，・・・とからなる。ネジ挿通孔７３，８３の形状はそれぞれ略三角形、円形であり、ネジ係合孔７４，８４の形状はそれぞれ円形、Ｌ字形である。
【００３４】
上記した図６（ａ）〜（ｃ）に示す取付座６１、取付座７１または取付座８１を備えた手摺用ブラケットを用いて手摺が壁面に固定されている場合、以下のようにしてブラケットを取り外す。すなわち、まずネジ係合孔６４，７４，８４に位置している固定ネジ６５，７５，８５の頭部がネジ挿通孔６３，７３，８３に位置するように手摺用ブラケットを壁面に沿って上方へ持ち上げる。ついで、固定ネジの頭部がネジ挿通孔６３，７３，８３から抜き出るように手摺用ブラケットを移動させればよい。なお、ネジ係合孔６４，７４，８４においてネジ６５，７５，８５を強固に締め付けている場合には、ネジ６５，７５，８５を緩めてもよい。
【００３５】
また、ブラケットを取り付ける場合には、上記とは逆の手順で、ネジ挿通孔６３，７３，８３に固定ネジの頭部を挿通させ、ついで固定ネジの頭部がネジ係合孔６４，７４，８４の末端に位置するようにブラケットを移動させ、必要に応じて、ネジを締め付ければよい。
【００３６】
図７は、エンドブラケット１２１，１２１を用いて手摺１３１を壁面１８に取り付けた状態を示す平面図である。また、図８（ａ）はエンドブラケット１２１を示す断面図、図８（ｂ）はその底面図である。
【００３７】
図７および図８（ａ），（ｂ）に示すように、エンドブラケット１２１の取付座１２８には、手摺１３１の軸心と平行で取付座１２８の座面中央部を通る直線Ｌに対して略左右対称形となる係合部１２２および係合部１２３が形成されている。係合部１２２，１２３は固定ネジ１２９の頭部が挿通するネジ挿通孔１２２ａ，１２３ａと、このネジ挿通孔１２２ａ，１２３ａに連通したネジ係合孔１２２ｂ，１２３ｂとからなる。また、取付座１２８の中央付近には略円形のネジ挿通孔１２６が設けられている。
【００３８】
エンドブラケット１２１は、取付座１２８と、この取付座１２８の一端から立設されたアーム部１２４と、このアーム部１２４の上端に設けられた手摺取付部１２５とを備えている。上記の取付座１２８、アーム部１２４および手摺取付部１２５は鋳造などによって一体に形成されている。
【００３９】
エンドブラケット１２１を手摺１３１の一端に取り付ける際には、前記係合部１２２，１２３のうちの一方（例えば係合部１２２）を用いて取付座１２８を壁面１８に取り付ける。また、エンドブラケット１２１を手摺１３１の他端に取り付ける際には、係合部１２２，１２３のうちの他方（例えば係合部１２３）を用いて取付座１２８を壁面１８に取り付ける。このようにブラケット１２１は、手摺１３１のどちらの端部にも適用可能である。
【００４０】
また、手摺１３１を壁面１８へ確実に固定するために、上記係合部１２２，１２３に加えてネジ挿通孔１２６にも固定ネジ（図示省略）を挿通させ、壁面１８にエンドブラケット１２１を固定することもできる。
【００４１】
手摺１３１は、端部が手摺取付部１２５の凹部に挿入され、ネジ１４１により固定される。また、図７に示すようにブラケット１２１にプラスチック製などのカバー１３２を装着する際には、カバー１３２の下端に設けられた爪（図示せず）を、取付座１２８に設けられたカバー固定用孔１２７に嵌合させる。
【００４２】
図９は、本発明における他のエンドブラケットの取付座を示す概略図である。図９では、特に係合部の形状および配置を説明する便宜上、アーム部および手摺取付部は省略している。
【００４３】
図９に示すように、取付座９１には、手摺の軸心と平行で取付座９１の座面中央部を通る直線Ｌ’に対して略左右対称形となる係合部９２，９３が形成されている。係合部９２は固定ネジ９４の頭部が挿通するネジ挿通孔９２ａと、このネジ挿通孔９２ａに連通したネジ係合孔９２ｂ，９２ｃ，９２ｃとからなり、係合部９３も同様に固定ネジ９４の頭部が挿通するネジ挿通孔９３ａと、このネジ挿通孔９３ａに連通したネジ係合孔９３ｂ，９３ｂ，９３ｃとからなる。
【００４４】
取付座９１を備えたエンドブラケットを手摺の一端に取り付ける際には、例えば、ネジ係合孔９２ｂ，９３ｂ，９３ｂを用いて取付座９１を壁面に取り付ける。また、このエンドブラケットを手摺の他端に取り付ける際には、例えば、ネジ係合孔９３ｃ，９２ｃ，９２ｃを用いて取付座９１を壁面に取り付ける。このように、取付座９１を備えたエンドブラケットは、手摺のどちらの端部にも適用可能である。
【００４５】
図１０は、本発明の取付構造で使用することができる手摺用ブラケットの取付座の他の例を示す概略平面図である。この取付座１０１には、固定ネジ１０６の頭部が挿通するネジ挿通孔１０２ａとこのネジ挿通孔１０２ａに連通したネジ係合孔１０２ｂとからなる係合部１０２と、取付座１０１の端面に設けた係合部（切り欠き部）１０３，１０３とが設けられている。これらの係合部１０３，１０３の開口は同方向に揃うように形成されている。取付座１０１と手摺１０５との間には、取付座１０１から立設された支柱１０７が配置されている。このブラケットは、例えば階段横に設置される笠木（図示せず）の上面に手摺１０５を取り付ける際などに好適に使用可能である。この場合、手摺１０５は、係合部１０２と係合部１０３との間に位置するように配置される。これにより、ドライバーなどを用いた、係合部１０２および係合部１０３に挿通される固定ネジ（図示せず）の取り付けが容易になる。
【００４６】
なお、上記各実施形態で説明した手摺は、例えば木、金属、プラスチックス等の各種素材から作ることができ、構造も中空物であってもよい。また、手摺の長さや外径は、使用場所に応じて適宜決定すればよい。手摺用ブラケットおよびカバーの大きさは、手摺の長さや外径、要求される強度などに応じて適宜決定すればよい。
【００４７】
また、取付座に設けられる係合部の個数は特に限定されるものではなく、１〜５個程度の範囲から任意に選定すればよい。
【００４８】
【発明の効果】
本発明によれば、壁面などのブラケット取付面に固定ネジが固定された状態で、ブラケットの取り付け・取り外しを行うことができるので、ブラケットを手摺ごと簡単にかつ迅速に着脱できるようになり、着脱に要する作業時間を短縮して労力を削減することができ、しかも、従来の固定式のブラケットに比べて部品点数が増加することがないので、経済的であるという効果がある。
【００４９】
本発明において、前記固定ネジがブラケット取付面に複数個固定されており、かつ各固定ネジに対応して、前記取付座に複数の係合部が設けられているときは、ブラケットの取り付け状態がより安定し、かつ固定強度をより向上させることができるという効果がある。
【００５０】
本発明において、前記取付座の端面にある前記切り欠き部の開口近傍の両側部に固定ネジの抜け止め用の突起が形成されているときは、固定ネジが、衝撃や振動などによって切り欠き部から離脱するのを防止することができるので、安全性や安定性がより向上するという効果がある。
【００５１】
本発明において、係合部が、手摺の軸心と平行で取付座の座面中央部を通る直線に対して略左右対称形となる少なくとも一対の係合部からなるときは、同じ形状のエンドブラケットを手摺の両端部に使用することができるので、製造コストを削減することができるという効果がある。
【図面の簡単な説明】
【図１】（ａ）は本発明の一実施形態にかかる手摺用ブラケットの取付構造を示す平面図であり、（ｂ）はその側面図である。
【図２】（ａ）は図１（ａ），（ｂ）に示した手摺用ブラケットを示す正面図であり、（ｂ）はその背面図である。
【図３】本発明の手摺用ブラケットの取付構造において、ブラケットを壁面から取り外し、再度取り付ける際の手順を示す概略図である。
【図４】（ａ）は図１および図２で示した手摺用ブラケットの取付座を被覆するカバーを示す平面図、（ｂ）はその底面図、（ｃ）はそのＡ−Ａ断面図である。
【図５】本発明の取付構造で使用することができる手摺用ブラケットの取付座の他の例を示す概略図である。
【図６】（ａ）〜（ｃ）は、本発明の取付構造で使用することができる手摺用ブラケットの取付座の他の例を示す概略図である。
【図７】エンドブラケットを用いて手摺を壁面に取り付けた状態を示す平面図である。
【図８】（ａ）は図７で示したエンドブラケットを示す断面図、（ｂ）はその底面図である。
【図９】本発明における他のエンドブラケットの取付座を示す概略図である。
【図１０】本発明の取付構造で使用することができる手摺用ブラケットの取付座の他の例を示す概略平面図である。
【符号の説明】
１１  手摺用ブラケット
１２ａ，１２ｂ，１２ｃ  係合部
１３  取付座
１４  アーム部
１５  手摺取付部
１６  突条
１７ａ，１７ｂ，１７ｃ  固定ネジ
１８  壁面
２９  手摺
【図１】
2004156348.tif 000003
【図２】
2004156348.tif 000004
【図３】
2004156348.tif 000005
【図４】
2004156348.tif 000006
【図５】
2004156348.tif 000007
【図６】
2004156348.tif 000008
【図７】
2004156348.tif 000009
【図８】
2004156348.tif 000010
【図９】
2004156348.tif 000011
【図１０】
2004156348.tif 000012